【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
複数のコンピューティング機器間の通信セッション転送のための方法において、
第１コンピューティング機器が、該第１コンピューティング機器の近くにおける第２コンピューティング機器の存在を検知する工程であって、前記第１コンピューティング機器は、リモートコンピューティング機器との第１通信セッションを確立している、前記工程と、
前記第１コンピューティング機器が、前記第２コンピューティング機器に対する無線接続を確立する工程であって、
前記第１コンピューティング機器が、前記第１コンピューティング機器上に予め記憶されている共有鍵と、前記第１コンピューティング機器の識別子とを含む第１トークンを生成し、該第１トークンの構造は、別の機器に転送された場合には該第１トークンが無効となるように構成されている、工程と、
前記第２コンピューティング機器が、前記第２コンピューティング機器上に予め記憶されている前記共有鍵と、前記第２コンピューティング機器の識別子とを含む第２トークンを生成し、該第２トークンの構造は、別の機器に転送された場合には該第２トークンが無効となるように構成されている、工程と、
前記第２コンピューティング機器が、前記第２トークンを前記第１コンピューティング機器に送信する工程と、
前記第１コンピューティング機器が、前記第１トークンとの比較によって前記第２トークンを認証する工程と、を含む、前記確立する工程と、
前記第２コンピューティング機器が、前記第１通信セッションに関連する情報を前記第１コンピューティング機器から受信する工程と、
前記第２コンピューティング機器が、受信した前記情報を使用して、前記リモートコンピューティング機器との第２通信セッションを確立する工程であって、前記第２通信セッションは、前記第１通信セッションと同じ状態で確立される、前記工程とを備える、方法。
【請求項２】
前記第１通信セッションは、ＨＴＴＰ方式のセッション、ＨＴＴＰＳ方式のセッション、及びＴＣＰ方式のセッションのうちの少なくとも１つである、請求項１に記載の方法。
【請求項３】
第２コンピューティング機器の存在を検知する前記工程は、前記第１コンピューティン
グ機器の周囲の領域について、前記第２コンピューティング機器の前記存在を監視する工程を含む、請求項１に記載の方法。
【請求項４】
前記第１トークンは、前記第１コンピューティング機器のセキュリティモジュールによって生成され、前記第２トークンは、前記第２コンピューティング機器のセキュリティモジュールによって生成される、請求項１に記載の方法。
【請求項５】
前記第１コンピューティング機器が、前記第２コンピューティング機器の前記識別子が前記第１コンピューティング機器に記憶されている信頼済みリストに存在するか否かを判定する工程と、
前記第２コンピューティング機器の前記識別子が前記信頼済みリストに存在する場合、前記第１コンピューティング機器が前記無線接続を確立する工程と、
前記第２コンピューティング機器の前記識別子が前記信頼済みリストに存在しない場合、前記第１コンピューティング機器が前記無線接続を拒否する工程とをさらに備える、請求項１に記載の方法。
【請求項６】
前記第１コンピューティング機器が、前記第２コンピューティング機器が前記第１コンピューティング機器と同じローカルネットワークに接続されているか否かを判定する工程と、
前記第２コンピューティング機器が前記同じローカルネットワークに接続されている場合、前記第１コンピューティング機器が前記無線接続を確立する工程と、
前記第２コンピューティング機器が前記同じローカルネットワークに接続されていない場合、前記第１コンピューティング機器が前記無線接続を拒否する工程とをさらに備える、請求項１に記載の方法。
【請求項７】
前記無線接続は、ブルートゥース接続、近距離無線通信（ＮＦＣ）接続、及びＷｉ−Ｆｉ接続のうちの少なくとも１つを含む、請求項１に記載の方法。
【請求項８】
前記第１コンピューティング機器が、前記第１通信セッションを終了させるための要求を前記第２コンピューティング機器に送信する工程と、
前記第２コンピューティング機器が、前記第１通信セッションを終了させる工程とをさらに備える、請求項１に記載の方法。
【請求項９】
第１通信セッションを終了させる前記工程は、前記第１通信セッションに関連するクッキーを削除する工程、前記リモートコンピューティング機器にセッション終了要求を送信する工程、又はその両方を含む、請求項８に記載の方法。
【請求項１０】
前記第１コンピューティング機器が、前記第１通信セッションを終了させるための要求を前記リモートコンピューティング機器に送信する工程をさらに備える、請求項８に記載の方法。
【請求項１１】
リモートコンピューティング機器との第２通信セッションを確立する前記工程は、前記第１コンピューティング機器が前記第２通信セッションを確立するためのアプリケーションを起動する工程を含む、請求項１に記載の方法。
【請求項１２】
起動されるアプリケーションは、ウェブブラウジング用アプリケーションを含む、請求項１１に記載の方法。
【請求項１３】
前記第２通信セッションは、前記第１通信セッションと同じ１つ以上のセキュリティ設定で確立される、請求項１に記載の方法。
【請求項１４】
複数のコンピューティング機器間の通信セッション転送のためのシステムであって、該システムは、
第１コンピューティング機器と、
第２コンピューティング機器と、
リモートコンピューティング機器とを備え、
前記第１コンピューティング機器は、
前記第１コンピューティング機器の近くにおける第２コンピューティング機器の存在を検知し、前記第１コンピューティング機器は、リモートコンピューティング機器との第１通信セッションを確立しており、
前記第２コンピューティング機器に対する無線接続を確立することであって、
前記第１コンピューティング機器が、前記第１コンピューティング機器上に予め記憶されている共有鍵と、前記第１コンピューティング機器の識別子とを含む第１トークンを生成し、該第１トークンの構造は、別の機器に転送された場合には該第１トークンが無効となるように構成されていることと、
前記第２コンピューティング機器が、前記第２コンピューティング機器上に予め記憶されている前記共有鍵と、前記第２コンピューティング機器の識別子とを含む第２トークンを生成し、該第２トークンの構造は、別の機器に転送された場合には該第２トークンが無効となるように構成されていることと、
前記第２コンピューティング機器が、前記第２トークンを前記第１コンピューティング機器に送信することと、
前記第１コンピューティング機器が、前記第１トークンとの比較によって前記第２トークンを認証することと、を含む、前記確立することを行い、
前記第１通信セッションに関連する情報を前記第２コンピューティング機器から受信し、
受信した前記情報を使用して、前記リモートコンピューティング機器との第２通信セッションを確立するように構成されており、前記第２通信セッションは、前記第１通信セッションと同じ状態で確立される、システム。
【請求項１５】
非一時的なコンピュータ可読記憶媒体により有形に具現化される、複数のコンピューティング機器間の通信セッション転送のためのコンピュータプログラム製品であって、第１コンピューティング機器に、
該第１コンピューティング機器の近くにおける第２コンピューティング機器の存在を検知することであって、前記第１コンピューティング機器は、リモートコンピューティング機器との第１通信セッションを確立していることと、
前記第２コンピューティング機器に対する無線接続を確立することであって、
前記第１コンピューティング機器が、前記第１コンピューティング機器上に予め記憶されている共有鍵と、前記第１コンピューティング機器の識別子とを含む第１トークンを生成し、該第１トークンの構造は、別の機器に転送された場合には該第１トークンが無効となるように構成されていることと、
前記第２コンピューティング機器が、前記第２コンピューティング機器上に予め記憶されている前記共有鍵と、前記第２コンピューティング機器の識別子とを含む第２トークンを生成し、該第２トークンの構造は、別の機器に転送された場合には該第２トークンが無効となるように構成されていることと、
前記第２コンピューティング機器が、前記第２トークンを前記第１コンピューティング機器に送信することと、
前記第１コンピューティング機器が、前記第１トークンとの比較によって前記第２トークンを認証することと、を含む、前記確立することと、
前記第１通信セッションに関連する情報を前記第２コンピューティング機器から受信することと、
受信した前記情報を使用して、前記リモートコンピューティング機器との第２通信セッションを確立することであって、前記第２通信セッションは、前記第１通信セッションと同じ状態で確立されることとをさせるように動作可能な命令を含む、コンピュータプログラム製品。